(57)【要約】【課題】ケースにレンズを固定した構造で、レンズ側からの電磁波に対する高いシールド効果を得る。【解決手段】カメラ装置１０は、前面にレンズ１４が固定されたケース１１の背面内側に、撮像素子２１等の電子部品が搭載された基板２２と、この基板２２を囲むように設置された枠状のシールドケース１７が差し込まれる構成を有する。そして、この構成の下、レンズ１４とシールドケース１７の間に、別体の電磁シールド３０を配置し、電磁シールド３０をシールドケース１７と電気的に接続している。【選択図】図３
2019050516.tif 000002
【特許請求の範囲】
【請求項１】
前面にレンズが固定されたケースの背面内側に、撮像素子等の電子部品が搭載された基板と前記基板を囲むように設置された枠状のシールドケースが差し込まれるカメラ装置において、
前記レンズと前記シールドケースの間に、別体の電磁シールドが配置され、前記電磁シールドは、前記シールドケースと電気的に接続されることを特徴とするカメラ装置。
【請求項２】
前記電磁シールドは、前記レンズから前記基板に向かう光が通過する開口部を囲うシールド本体部と、前記シールド本体部から延出して前記シールドケースに接触する延出部とを有することを特徴とする請求項２に記載のカメラ装置。
【請求項３】
前記ケースは、前記レンズを保持する筒状の鏡筒部を有し、
前記電磁シールドは、前記鏡筒部における前記基板側の面に取り付けられることを特徴とする請求項１に記載のカメラ装置。
【請求項４】
前記電磁シールドは、金属層と粘着層とを有する柔軟性素材で形成され、前記粘着層によって前記鏡筒における前記基板側の面に貼り付けられることを特徴とする請求項２又は３に記載のカメラ装置。
【請求項５】
前記レンズと前記基板との間に光学フィルターを備え、
前記電磁シールドは、前記光学フィルターを前記レンズ側、又は前記基板側に押さえる押さえ部材を兼ねることを特徴とすることを特徴とする請求項１乃至３のいずれか一項に記載のカメラ装置。
【発明の詳細な説明】
【技術分野】
【０００１】
本発明は、カメラ装置に関する。
【背景技術】
【０００２】
車載カメラには、カメラモジュールにレンズとシールドケースとを一体に取り付け、このカメラモジュールをケースに組み込む構造が知られている。この構造よりもコスト低減を図るべく、車載カメラには、ケースにレンズを固定し、このケースに、カメラモジュールとシールドケースとをそれぞれ組み込む構造も知られている。後者の構造の場合、ケースとカメラモジュールとの間に枠状の隙間を形成し、この枠状の隙間に、枠状のシールドケースを差し込んでいる（例えば特許文献１参照）。
【先行技術文献】
【特許文献】
【０００３】
【特許文献１】特開２０１３−１１５７０１号公報
【発明の概要】
【発明が解決しようとする課題】
【０００４】
ところで、特許文献１記載の構成の場合、枠状のシールドケースだけで電磁波をシールドするため、レンズ側から強力な電磁波を作用させた場合にシールド効果が不十分なおそれがある。
そこで、本発明は、ケースにレンズを固定した構造で、レンズ側からの電磁波に対する高いシールド効果を得ることを目的とする。
【課題を解決するための手段】
【０００５】
上記目的を達成するために、本発明は、前面にレンズが固定されたケースの背面内側に、撮像素子等の電子部品が搭載された基板と前記基板を囲むように設置された枠状のシールドケースが差し込まれるカメラ装置において、前記レンズと前記シールドケースの間に、別体の電磁シールドが配置され、前記電磁シールドは、前記シールドケースと電気的に接続されることを特徴とする。
【０００６】
上記構成において、前記電磁シールドは、前記レンズから前記基板に向かう光が通過する開口部を囲うシールド本体部と、前記シールド本体部から延出して前記シールドケースに接触する延出部とを有してもよい。
【０００７】
また、上記構成において、前記ケースは、前記レンズを保持する筒状の鏡筒部を有し、前記電磁シールドは、前記鏡筒部における前記基板側の面に取り付けられてもよい。
【０００８】
また、上記構成において、前記電磁シールドは、金属層と粘着層とを有する柔軟性素材で形成され、前記粘着層によって前記鏡筒における前記基板側の面に貼り付けられてもよい。
【０００９】
また、上記構成において、前記レンズと前記基板との間に光学フィルターを備え、前記電磁シールドは、前記光学フィルターを前記レンズ側、又は前記基板側に押さえる押さえ部材を兼ねてもよい。
【発明の効果】
【００１０】
本発明は、前面にレンズが固定されたケースの背面内側に、撮像素子等の電子部品が搭載された基板と前記基板を囲むように設置された枠状のシールドケースが差し込まれる構成の下、前記レンズと前記シールドケースの間に、別体の電磁シールドが配置され、前記電磁シールドは、前記シールドケースと電気的に接続される。これにより、ケースにレンズを固定した構造で、レンズ側からの電磁波に対する高いシールド効果を得ることができる。
【図面の簡単な説明】
【００１１】
【図１】図１は本発明の第一実施形態に係るカメラ装置を示す図である。
【図２】カメラモジュールとシールドケースを周辺構成と共に示した図である。
【図３】カメラ装置の断面図である。
【図４】カメラ装置の電磁シールドを周辺構成と共に示した図である。
【図５】電磁シールドを斜め後方から周辺構成と共に示した図である。
【図６】電磁シールドをカメラモジュール及びシールドケース等と共に示した図である。
【図７】（Ａ）は第二実施形態に係るカメラ装置の電磁シールドをフロントケースと共に示し、（Ｂ）は電磁シールドをシールドケースと共に示した図である。
【発明を実施するための形態】
【００１２】
以下、図面を参照して本発明の実施の形態について説明する。
（第一実施形態）
図１は本発明の第一実施形態に係るカメラ装置を示した図である。図１及び後述する各図に示す符号ＦＲはカメラ装置１０の前方を示し、符号ＵＰはカメラ装置１０の上方を示し、符号ＬＨはカメラ装置１０に向かって左方を示している。
このカメラ装置１０は、車両に搭載される車載カメラである。このカメラ装置１０のケース１１（筐体とも称する）は、フロントケース１２とリアケース１３とに分割可能である。このカメラ装置１０は、フロントケース１２の前面にレンズ１４を固定し、このケース１２の背面内側に、カメラモジュール１６及びシールドケース１７等を組み込む構造である。
【００１３】
フロントケース１２は、後方に開口する略直方体の箱形状であり、樹脂材によって製作される。また、リアケース１３は、前方に開口する略直方体の箱形状であり、樹脂材によって製作される。フロントケース１２とリアケース１３とは嵌合によって一体化し、略直方体のケース１１を構成する。リアケース１３からは、カメラモジュール１６に電気的に接続されたケーブル１８が延出する。
【００１４】
図２はカメラモジュール１６とシールドケース１７を周辺構成と共に示した図である。
カメラモジュール１６は、撮像素子２１等の電子部品が搭載された基板２２を有する。基板２２の前面（レンズ１４側に相当）に、スペーサ２３を介して光学フィルター２４が配置される。この光学フィルター２４は、撮像素子２１のレンズ１４側に配置される。撮像素子２１はＣＭＯＳ撮像素子であり、光学フィルター２４はＩＲカットフィルターである。ただし、撮像素子２１及び光学フィルター２４は上記の構成に限定されない。
【００１５】
シールドケース１７は、カメラモジュール１６の基板２２の上下左右を囲う矩形の枠形状に形成され、りん青銅等の導電性を有する金属板で形成される。このシールドケース１７は、カメラモジュール１６とケース１１の内周面との間に空く隙間に配置される（図１参照）。
このシールドケース１７は、基板２２の上下左右を囲うことで、カメラモジュール１６（特に基板２２）から周囲に放出される電磁波、及び周囲からカメラモジュール１６への電磁波をシールドする電磁シールドとして機能する。なお、シールドケース１７は、基板２２の背面に当接する複数の折り曲げ片１７Ｓを一体に有し、これら折り曲げ片１７Ｓの少なくともいずれかが基板２２の背面等に当接し、基板２２とシールドケース１７との導通接続及び位置決めが行われる。
【００１６】
図３はカメラ装置１０の断面図である。
フロントケース１２は、前面を有する部分である前板部１２Ｆと、前板部１２Ｆの外周縁から後方に延出してフロントケース１２の外周部を形成する外周筒部１２Ｇとを一体に備える。前板部１２Ｆには、前後方向に貫通してレンズ１４を保持する保持孔１２Ｋが形成されるとともに、この保持孔１２Ｋの外周に沿って後方に延出する筒状の鏡筒部１２Ｔが一体に形成されている。この構成によれば、鏡筒部１２Ｔを別体で形成する場合と比べて、部品点数の低減及び組立の作業性が向上し、コスト低減に有利となる。
【００１７】
レンズ１４は、前後方向に並ぶ複数のレンズ素子で構成される。図３中、符号Ｌ１は、レンズ１４の中心軸、つまり光軸を示している。レンズ１４の構成は、図３に示す構成に限定されず、公知の構成を広く適用可能である。
【００１８】
図４に示すように、フロントケース１２内の鏡筒部１２Ｔと、シールドケース１７及びカメラモジュール１６を含むリアケース１３との間には、別体の電磁シールド３０が配置される。この電磁シールド３０は、鏡筒部１２Ｔの背面（基板２２側の面に相当）に取り付けられるシールド本体部３１と、シールド本体部３１から延出してシールドケース１７に接触する一対の延出部３２とを一体に有する。
【００１９】
本実施形態では、この電磁シールド３０には、アルミニウム合金製の金属層（アルミ箔とも称する）の裏面に粘着層を設けた柔軟性素材であるアルミテープが使用される。
図５は電磁シールド３０を斜め後方から周辺構成と共に示した図である。
シールド本体部３１は、鏡筒部１２Ｔの背面における中央孔１２Ａ（レンズ１４から基板２２に向かう光が通過する開口部に相当）を囲う形状に形成され、より具体的には、中央孔１２Ａに連通する開口部３１Ａを有する円形状（ドーナツ形状とも称する）に形成される。このシールド本体部３１は、粘着層によって鏡筒部１２Ｔの背面に貼り付けられる。これによって、シールド本体部３１を鏡筒部１２Ｔに容易に取り付けることができる。
【００２０】
図６は電磁シールド３０をカメラモジュール１６及びシールドケース１７等と共に示した図である。
一対の延出部３２は、シールド本体部３１から前側（レンズ１４側）に折り返された第一折り返し部３３と、第一折り返し部３３の前端からシールド本体部１の径方向外側（本実施形態では、上方又は下方に相当）に折り返された第二折り返し部３４と、第二折り返し部３４の径方向外側端部から後方に折り返される第三折り返し部３５とを一体に備える。
【００２１】
図３に示すように、第一折り返し部３３は、鏡筒部１２Ｔの外周面に貼り付けられ、第二折り返し部３４は、前板部１２Ｆの背面に貼り付けられ、第三折り返し部３５は、フロントケース１２の外周筒部１２Ｇの内周面に貼り付けられる。上述したように、第一から第三折り返し部３３〜３５はアルミテープであるので、フロントケース１２の各内周面への貼り付け作業は容易である。
【００２２】
第三折り返し部３５は、図６に示すように、フロントケース１２に挿入されたシールドケース１７の一部と上下方向で重なることで互いに接触し、電気的に導通する。これにより、電磁シールド３０に向けて放射された電磁波を、シールドケース１７を利用して外部に逃がすことができる。
ここで、シールド本体部３１は、図３及び図６に示すように、鏡筒部１２Ｔと光学フィルター２４との間に空く僅かな隙間に配置される。この場合、シールド本体部３１が光学フィルター２４に接触してもよい。
【００２３】
また、シールド本体部３１の金属層を厚くして剛性を向上させた場合、シールド本体部３１によって光学フィルター２４を基板２２側に押さえるようにしてもよい。この場合、シールド本体部３１と基板２２との間に光学フィルター２４が挟持され、光学フィルター２４の位置ずれを効率良く抑えることができる。
なお、電磁シールド３０にアルミテープを使用する場合を説明したが、この構成に限定されず、導電性を有する様々な金属板等を広く適用可能である。
【００２４】
以上説明したように、本実施形態のカメラ装置１０は、前面にレンズ１４が固定されたケース１１の背面内側に、撮像素子２１等の電子部品が搭載された基板２２と、この基板２２を囲むように設置された枠状のシールドケース１７が差し込まれる構成を有する。そして、この構成の下、レンズ１４とシールドケース１７の間に、別体の電磁シールド３０を配置し、電磁シールド３０をシールドケース１７と電気的に接続している。この構成によれば、カメラ装置１０のケース１２にレンズ１４を固定した構造でも、レンズ１４側からの電磁波に対する高いシールド効果を得ることが可能である。
【００２５】
また、電磁シールド３０は、レンズ１４から基板２２に向かう光が通過する開口部（鏡筒部１２Ｔの中央孔１２Ａに相当）を囲うシールド本体部３１と、シールド本体部３１から延出してシールドケース１７に接触する延出部３２とを有する。この構成によれば、シールド本体部によりレンズ側からカメラ本体への電磁波を効果的にシールドできる。
【００２６】
また、ケース１２は、レンズ１４を保持する筒状の鏡筒部１２Ｔを有し、電磁シールド３０は、鏡筒部１２Ｔの背面（基板２２側の面に相当）に取り付けられるので、電磁シールド３０を簡易に取り付けることができる。
しかも、電磁シールド３０は、金属層と粘着層とを有する柔軟性素材であるアルミテープで形成され、粘着層によって鏡筒部１２Ｔの背面に貼り付けられるので、より簡易に電磁シールド３０を取り付けることができる。
【００２７】
（第二実施形態）
図７は第二実施形態に係るカメラ装置１０の電磁シールド１３０を周辺構成と共に示した図である。より具体的には、図７（Ａ）は電磁シールド１３０をフロントケース１２と共に示し、図７（Ｂ）は電磁シールド１３０をシールドケース１７と共に示した図である。
第二実施形態に係るカメラ装置１０は、図７（Ａ）に示すように、鏡筒部１２Ｔの内周側、かつ、レンズ１４の背面に光学フィルター２４が配置される。そして、鏡筒部１２Ｔの背面に貼り付けられた電磁シールド１３０が、光学フィルター２４をレンズ１４側に押さえる押さえ部材を兼用する。これによって、光学フィルター２４が固定される。
【００２８】
電磁シールド１３０は、鏡筒部１２Ｔの背面（基板２２側の面に相当）に取り付けられるシールド本体部３１と、シールド本体部３１から延出してシールドケース１７に接触する単一の延出部１３２とを一体に備える（図７（Ｂ）参照）。この電磁シールド１３０は、ステンレス板等の剛性を有すると共に導電性を有する金属板で形成され、光学フィルター２４をレンズ１４側に押さえるのに十分な強度を有する。
【００２９】
また、このシールド本体部３１の厚さを、鏡筒部１２Ｔの背面に配置された光学フィルター２４と基板２２（撮像素子２１を含む）との間に空く隙間の大きさに調整することによって、光学フィルター２４の位置ずれを効率良く押さえることができる。なお、第一実施形態では、光学フィルター２４の配置にスペーサ２３を利用したが、第二実施形態ではスペーサ２３を省略している。なお、スペーサ２３を適宜な場所に使用してもよい。
【００３０】
以上説明したように、本実施の形態においても、レンズ１４とシールドケース１７の間に、別体の電磁シールド３０を配置し、電磁シールド３０をシールドケース１７と電気的に接続しているので、第一実施形態と同様の各種の効果が得られる。
しかも、電磁シールド１３０が光学フィルター２４をレンズ１４側に押さえる押さえ部材を兼用するので、光学フィルター２４の固定に要する部品を低減し易く、且つ、光学フィルター２４の取り付け作業が容易になる。
【００３１】
上記の各実施形態は、あくまでも本発明の一実施の態様を例示するものであって、本発明の趣旨を逸脱しない範囲で任意に変形、及び応用が可能である。
例えば、カメラ装置１０を構成する部品の形状、及び素材は適宜に変更可能である。また、上記の各実施形態では、車載カメラとして使用されるカメラ装置１０に本発明を適用する場合を説明したが、これに限定されず、車載用途以外のカメラ装置１０に本発明を適用してもよい。
【符号の説明】
【００３２】
１０  カメラ装置
１１  ケース
１２  フロントケース
１２Ｔ  鏡筒部
１３  リアケース
１４  レンズ
１６  カメラモジュール
１７  シールドケース
２１  撮像素子
２２  基板
２４  光学フィルター
３０、１３０  電磁シールド
３１  シールド本体部
３１Ａ  開口部
３２、１３２  延出部
【図１】
2019050516.tif 000003
【図２】
2019050516.tif 000004
【図３】
2019050516.tif 000005
【図４】
2019050516.tif 000006
【図５】
2019050516.tif 000007
【図６】
2019050516.tif 000008
【図７】
2019050516.tif 000009